(57)【要約】      （修正有）【課題】従来よりも容易に施工することができる擁壁用のブロックおよび擁壁を提供する。【解決手段】背面１１ａ側部分から下方に突出し、下に積まれるブロック１０の背面１１ａ側に配置される第１の凸部１２と、第１の凸部１２と正面１１ｂの間で、正面１１ｂ側から見て左側部分から下方に突出した第２の凸部１３ａと、第１の凸部１２と正面１１ｂの間で、正面１１ｂ側から見て右側部分から下方に突出した第３の凸部１３ｂと、上側部分に形成され、正面１１ｂ側から見て右上に積まれるブロック１０の第２の凸部１３ａと、正面１１ｂ側から見て左上に積まれるブロック１０の第３の凸部１３ｂとが収容される凹部１４と、を有するものとする。【選択図】図１
2018193785.tif 000002
【特許請求の範囲】
【請求項１】
土壌側に面する背面と、
背面とは反対側の正面と、を有し、  
正面側から見て複数個を千鳥状に布積みすることで擁壁を形成するブロックであって、
前記背面側部分から下方に突出し、下に積まれる前記ブロックの前記背面側に配置される第１の凸部と、
前記第１の凸部と前記正面の間で、前記正面側から見て左側部分から下方に突出した第２の凸部と、
前記第１の凸部と前記正面の間で、前記正面側から見て右側部分から下方に突出した第３の凸部と、
上側部分に形成され、前記正面側から見て右上に積まれる前記ブロックの前記第２の凸部と、前記正面側から見て左上に積まれる前記ブロックの前記第３の凸部とが収容される凹部と、を有することを特徴とするブロック。
【請求項２】
さらに、前記第１の凸部に取り付けられ、下に積まれた前記ブロックの隙間を覆う吸出防止シートを有することを特徴とする請求項１に記載のブロック。
【請求項３】
さらに、上部にアイボルト用埋込ナットを有することを特徴とする請求項１または２に記載のブロック。
【請求項４】
請求項１から３のいずれか一項に記載のブロックを有し、
前記ブロックの前記背面側部分と上に積み重ねられる前記ブロックとの間に介在した板状部材を有することを特徴とする擁壁。
【請求項５】
最下段に配置され、鉄筋挿入工により前記地盤に固定された基礎ブロックを有することを特徴とする請求項４に記載の擁壁。
【発明の詳細な説明】
【技術分野】
【０００１】
本発明は、擁壁の一部を成すブロックと、そのブロックを有する擁壁に関する。
【背景技術】
【０００２】
従来、擁壁を容易に施工可能にすることを目的とした擁壁用コンクリートブロックが提案されている（特許文献１）。
【先行技術文献】
【特許文献】
【０００３】
【特許文献１】特開平９−２０３０５８号公報
【発明の概要】
【発明が解決しようとする課題】
【０００４】
しかし、特許文献１に記載の擁壁用コンクリートブロックによれば、擁壁用コンクリートブロックの内側の空間に栗石、砕石、土砂等の中込め材を投入しなければならず、そのための機材と労力が必要となる。
【０００５】
このような問題に鑑み、本発明は、従来よりも容易に施工することができる擁壁用のブロックおよび擁壁を提供することを目的とする。
【課題を解決するための手段】
【０００６】
上記課題を解決するため、本発明のブロックは、
土壌側に面する背面と、
背面とは反対側の正面と、を有し、  
正面側から見て複数個を千鳥状に布積みすることで擁壁を形成するブロックであって、
前記背面側部分から下方に突出し、下に積まれる前記ブロックの前記背面側に配置される第１の凸部と、
前記第１の凸部と前記正面の間で、前記正面側から見て左側部分から下方に突出した第２の凸部と、
前記第１の凸部と前記正面の間で、前記正面側から見て右側部分から下方に突出した第３の凸部と、
上側部分に形成され、前記正面側から見て右上に積まれる前記ブロックの前記第２の凸部と、前記正面側から見て左上に積まれる前記ブロックの前記第３の凸部とが収容される凹部と、を有するものとする。
【発明の効果】
【０００７】
本発明によれば、従来よりも容易に施工することができる擁壁用のブロックおよび擁壁を提供することができる。
【図面の簡単な説明】
【０００８】
【図１】本願の第１実施形態に係る標準ブロックを示している。（ａ）は平面図であり、（ｂ）は側面図である。
【図２】本願の第１実施形態に係る標準ブロックと板状部材を示している。（ａ）は平面図であり、（ｂ）は側面図である。
【図３】本願の第１実施形態に係る天端ブロックを示している。（ａ）は平面図であり、（ｂ）は側面図である。
【図４】本願の第１実施形態に係る基礎ブロックを示している。（ａ）は平面図であり、（ｂ）は側面図である。
【図５】本願の第１実施形態に係る左端ブロックを示している。（ａ）は平面図であり、（ｂ）は側面図である。
【図６】本願の第１実施形態に係る右端ブロックを示している。（ａ）は平面図であり、（ｂ）は側面図である。
【図７】本願の第１実施形態に係る左天端ブロックを示している。（ａ）は平面図であり、（ｂ）は側面図である。
【図８】本願の第１実施形態に係る右天端ブロックを示している。（ａ）は平面図であり、（ｂ）は側面図である。
【図９】本願の第１実施形態に係る擁壁の一部を示す平面図である。
【図１０】本願の第１実施形態に係る擁壁の側面図である。
【図１１】本願の第１実施形態に係る擁壁の平面図である。（ａ）は平面視において曲率中心が正面側にある擁壁を示し、（ｂ）は平面視において曲率中心が裏面側にある擁壁を示している。
【図１２】本願の第２実施形態に係る標準ブロックを示している。（ａ）は平面図であり、（ｂ）は側面図である。
【図１３】本願の第２実施形態に係る基礎ブロックを示している。（ａ）は平面図であり、（ｂ）は側面図である。
【図１４】本願の第２実施形態に係る擁壁の側面図である。
【図１５】本願の第２実施形態に係る擁壁の正面図である。
【発明を実施するための形態】
【０００９】
（第１実施形態）
以下、本願の第１実施形態を図面を参照しながら説明する。図１は本願の第１実施形態に係る標準ブロック１０を示している。（ａ）は平面図であり、（ｂ）は側面図である。図１（ａ）の図面に向かって右側が土壌に面する背面側であり、左側が擁壁の正面側である。特に記載がない場合、正面側（図面左側）から標準ブロック１０を見たときに右に見える側を標準ブロック１０の右側とし、左に見える側を標準ブロック１０の左側とする。図２以降の説明においても同様である。以下、複数種類のブロックについて説明するが、それらのブロックを総称として単に「ブロック」と呼ぶ場合がある。
【００１０】
標準ブロック（ブロック）１０は、本体１１と、本体１１の背面１１ａ側部分から下方に突出し左右の全長にわたって形成された第１の凸部１２と、第１の凸部１２と正面１１ｂの間で正面１１ｂ側から見て左側部分から下方に突出した第２の凸部１３ａと、第１の凸部１２と正面１１ｂとの間で正面１１ｂ側から見て右側部分から下方に突出した第３の凸部１３ｂと、を有している。
【００１１】
本体１１は、上下方向、左右方向、奥行方向の順に寸法が大きくなる略直方体状をしている。本体１１は、正面１１ｂ側から背面１１ａ側に向かうにつれてすぼまった形状をしており、平面視において台形状をしている。
【００１２】
第１の凸部１２は、左右方向に長い四角柱状をしており、背面側に本体１１の背面１１ａと同一平面上の面、左側に本体１１の左側面１１ｃと同一平面上の面、右側に本体１１の右側面１ｄと同一平面上の面を有している。
【００１３】
第２の凸部１３ａと第３の凸部１３ｂは、背面１１ａから略等距離に配置されている。また、第２の凸部１３ａと第３の凸部１３ｂは、正面１１ｂからも略等距離に配置されている。第２の凸部１３ａは直方体状をしており、左側に本体１１の左側面１１ｃと同一平面上の面を有している。第３の凸部１３ｂは直方体状をしており、右側に本体１１の右側面１１ｄと同一平面上の面を有している。
【００１４】
本体１１の上部には、正面１１ｂ側から見て右上に積まれる標準ブロック１０の第２の凸部１３ａと、正面１１ｂ側から見て左上に積まれる標準ブロック１０の第３の凸部１３ｂとが収容される凹部１４が形成されている。凹部１４は、内側の空間が左右方向に長い直方体状に形成されている。凹部１４は、収容される第２、第３の凸部１３ａ、１３ｂの周囲に隙間を形成する寸法を有している。凹部１４は、正面１１ｂ側から見て、左右方向で略中央、奥行方向で第１の凸部１２と第２、第３の凸部１３ａ、１３ｂとの間に配置されている。
【００１５】
第１の凸部１２は、正面１１ｂ側から見て左右方向の略中央の正面１１ｂ側部分に吸出防止シート１５が取り付けられている。吸出防止シート１５は帯状をしており、上端部の背面１１ａ側の面が第１の凸部１２の正面１１ｂ側の面に張り付けられている。
【００１６】
本体１１の上部略中央にはアイボルト用埋込ナット１６が埋め込まれている。これにより、標準ブロック１０は、運搬の際や施工の際、アイボルトを取り付けて容易に吊り上げることができる。
【００１７】
図２は、本願の第１実施形態に係る標準ブロック１０と板状部材１７を示している。（ａ）は平面図であり、（ｂ）は側面図である。
【００１８】
板状部材１７は、左右方向に長い板状の部材である。板状部材１７は、例えば、硬質プラスチックから形成することができる。板状部材１７は、必要に応じて背面１１ａ側で上下の標準ブロック１０の間に介在し、上下の標準ブロック１０の角度を調整するのに用いる。
【００１９】
図３は本願の第１実施形態に係る天端ブロック２０を示している。（ａ）は平面図であり、（ｂ）は側面図である。
【００２０】
天端ブロック２０は、本体２１と、第１の凸部２２と、第２の凸部２３ａと、第３の凸部２３ｂと、吸出防止シート２５と、アイボルト用埋込ナット２６とを有する点において標準ブロック１０と共通する。一方で、天端ブロック２０は、標準ブロック１０とは異なり、標準ブロック１０の上部に形成された凹部１４を有さない。
【００２１】
図４は本願の第１実施形態に係る基礎ブロック３０を示している。（ａ）は平面図であり、（ｂ）は側面図である。
【００２２】
基礎ブロック３０は、標準ブロック１０と略同一の平面形状を有し、上部に凹部３４とアイボルト用埋込ナット３６とを有している。凹部３４は、正面３１ｂ側から見て右上に積まれる標準ブロック１０の第２の凸部１３ａと、正面３１ｂ側から見て左上に積まれる標準ブロック１０の第３の凸部１３ｂとを収容する。凹部３４は、その内側に左右方向に長い直方体状の空間を形成している。凹部３４は、収容した第２、第３の凸部１３ａ、１３ｂの周囲に隙間を形成する寸法を有している。
【００２３】
基礎ブロック３０の背面３１ａと正面３１ｂは、上面３１ｃに対して略垂直な向きに配置され、平面状に形成されている。正面３１ｂは背面３１ａよりも大きく下方に延びている。下面３１ｄは、正面３１ｂの下端から背面３１ａ側に、上面３１ｃに対して略平行で、左右に長い長方形の平面状に形成されている。下面３１ｄは正面３１ｂから見た奥行方向において上面３１ｃよりも短い寸法を有している。傾斜面３１ｅは下面３１ｄの背面３１ａ側端と背面３１ａ下端の間で四角形の平面状に形成されている。貫通孔３８は正面３１ｂから傾斜面３１ｅにかけて、正面３１ｂに対して略垂直に形成されている。
【００２４】
図５は本願の第１実施形態に係る左端ブロック４０を示している。（ａ）は平面図であり、（ｂ）は側面図である。
【００２５】
左端ブロック４０は標準ブロック１０の左側半分を取り除いたような形状をしている。具体的には、左端ブロック４０は、正面４１ｂ側から見て奥行方向に長い本体４１と、本体４１の背面４１ａ側部分から左右方向の全長にわたって下方に突出した第１の凸部４２と、第１の凸部４２と正面４１ｂの間で正面４１ｂ側から見て右側部分から下方に突出した第２の凸部４３と、を有している。本体４１の上部には、上に積まれる標準ブロック１０の第２の凸部１３ａ、または、上に積まれる天端ブロック２０の第２の凸部２３ａが収容される凹部４４が形成されている。凹部４４は、その内側に、左側に開放した直方体状の空間を形成している。本体４１の上部略中央にはアイボルト用埋込ナット４６が埋め込まれている。
【００２６】
図６は本願の第１実施形態に係る右端ブロック５０を示している。（ａ）は平面図であり、（ｂ）は側面図である。
【００２７】
右端ブロック５０は標準ブロック１０の右側半分を取り除いたような形状をしている。具体的には、右端ブロック５０は、正面５１ｂ側から見て奥行方向に長い本体５１と、本体５１の背面５１ａ側部分において左右方向の全長にわたって下方に突出した第１の凸部５２と、第１の凸部５２と正面５１ｂの間で正面５１ｂ側から見て右側部分から下方に突出した第２の凸部５３と、を有している。本体５１の上部には、上に積まれる標準ブロック１０の第３の凸部１３ｂ、または、上に積まれる天端ブロック２０の第３の凸部２３ｂが収容される凹部５４が形成されている。凹部５４は、その内側に、右側に開放した直方体状の空間を形成している。本体５１の上部中央にはアイボルト用埋込ナット５６が埋め込まれている。
【００２８】
図７は本願の第１実施形態に係る左天端ブロック６０を示している。（ａ）は平面図であり、（ｂ）は側面図である。
【００２９】
左天端ブロック６０は凹部４４を有さない左端ブロック４０のような形状をしている。具体的には、左天端ブロック６０は、正面６１ｂ側から見て奥行方向に長い本体６１と、本体６１の背面６１ａ側部分において左右方向の全長にわたって下方に突出した第１の凸部６２と、第１の凸部６２と正面６１ｂの間で正面６１ｂ側から見て右側部分から下方に突出した第２の凸部６３とを有している。本体６１の上部略中央にはアイボルト用埋込ナット６６が埋め込まれている。
【００３０】
図８は本願の第１実施形態に係る右天端ブロック７０を示している。（ａ）は平面図であり、（ｂ）は側面図である。
【００３１】
右天端ブロック７０は凹部５４を有さない右端ブロック５０のような形状をしている。具体的には、右天端ブロック７０は、正面７１ｂ側から見て奥行方向に長い本体７１と、本体７１の背面７１ａ側部分において左右方向の全長にわたって下方に突出した第１の凸部７２と、第１の凸部７２と正面７１ｂの間で正面７１ｂ側から見て右側部分から下方に突出した第２の凸部７３とを有している。本体７１の上部略中央にはアイボルト用埋込ナット７６が埋め込まれている。
【００３２】
図９は本願の第１実施形態に係る擁壁１００の一部を示す平面図である。図９においては、上側に積まれたブロックの上側部分を実線で示し、上に積まれたブロックの下側部分を破線で示し、下に積まれたブロックの上側部分を点線で示している。
【００３３】
擁壁１００は上述のブロックを正面側から見て千鳥状に布積みすることで形成される。擁壁１００の大部分は、図９に示すように、標準ブロック１０を左右方向に複数並べた上に、標準ブロック１０を左右方向に半分ずらして複数積み上げることにより構成される。上に積まれた標準ブロック１０の第２の凸部１３ａと第３の凸部１３ｂは、その下に配置された標準ブロック１０の凹部１４内に収容される。これにより、上下に積まれた標準ブロック１０が互いに左右方向に移動しないように拘束している。このことは標準ブロック１０以外のブロックについても同様である。
【００３４】
上述のように標準ブロック１０を半分ずつずらして千鳥状に積み上げると、１段おきに下の段よりも標準ブロック１０の数が１つ少ない段が生じ、擁壁１００の左端および右端に標準ブロック１０の半分の空間が残ることとなる。その空間には、左端ブロック４０または右端ブロック５０を配置する。左端ブロック４０の第２の凸部４３は下に配置された標準ブロック１０の凹部１４内に収容される。右端ブロック５０の第２の凸部５３は下に配置された標準ブロック１０の凹部１４内に収容される。
【００３５】
図１０は本願の第１実施形態に係る擁壁１００の側面図である。
【００３６】
擁壁１００は、図１０に示すように、地面ＧＬ１と、地面ＧＬ１よりも高い位置にある地面ＧＬ２の間に構築される。擁壁１００の一番下の部分（最下段）は、基礎ブロック３０を左右方向に複数並べて構成する。基礎ブロック３０は背面側が低くなるように傾けて配置される。基礎ブロック３０は貫通孔３８を通した鉄筋１０１による鉄筋挿入工によって地盤に固定される。
【００３７】
標準ブロック１０、右端ブロック５０、および、天端ブロック２０は、背面側に少しずつずらして積み上げる。標準ブロック１０の第１の凸部１２、右端ブロック５０の第１の凸部５２、および、天端ブロック２０の第１の凸部２２は、下に配置されたブロックの背面側に配置される。これにより各ブロックが背面側の土壌からの土圧に対抗し、正面側に動かないように拘束されている。このことは左端ブロック４０についても同様である。図１０に示す第１実施形態において最上段は天端ブロック２０のみで構成されている。しかし、天端ブロック２０の数が、そのすぐ下の段に配置された標準ブロック１０よりも１つ少なくなる高さに擁壁１００を構成した場合には、擁壁１００の最上段の左端部には左天端ブロック６０を、最上段の右端部に右天端ブロック７０を配置する。この場合も、左天端ブロック６０の第１の凸部６２、および、右天端ブロック７０の第１の凸部７２は、下の段の標準ブロック１０の背面側に配置する。
【００３８】
標準ブロック１０の吸出防止シート１５、および、天端ブロック２０の吸出防止シート２５は、すぐ下の段に配置された隣り合うブロックの間の隙間と背面側の土壌との間に配置される。吸出防止シート１５、２５は、土壌が擁壁１００の正面側に排出されるのを防ぐ。
【００３９】
図１０において示力線ＦＬを一点鎖線により示している。示力線ＦＬとは、擁壁１００の自重と擁壁１００の裏側の土壌からの土圧の合力の通過点が描く軌跡である。示力線ＦＬが擁壁１００から外に外れなければ擁壁１００は転倒しない。擁壁１００は、上段の上下のブロックの間に、図２に示す板状部材１７を配置し、擁壁１００の上部を反り上がらせている。これにより、擁壁１００の形状を示力線ＦＬの曲線形状に近付け、示力線ＦＬが擁壁１００から外に外れないようにしている。
【００４０】
図１１は本願の第１実施形態に係る擁壁１００の平面図である。（ａ）は平面視において曲率中心が正面側にある擁壁１００を示し、（ｂ）は平面視において曲率中心が裏面側にある擁壁１００を示している。
【００４１】
本願の第１実施形態に係る擁壁１００は、図１１に示すように、平面視において曲線状に構成することができる。図１１において、擁壁１００は円弧状をしているが、蛇行する曲線状に形成することもできる。
【００４２】
（第２実施形態）
次に本願の第２実施形態を図面を参照しながら説明する。第２実施形態においては、第１実施形態と同様の点については説明を適宜省略し、第１実施形態と異なる点を中心として説明する。第２実施形態のブロックの各部を指し示す参照符号は、第１実施形態において使用した参照符号に「２００」を足した数字の参照符号を使用する。例えば、第１実施形態の本体１１に対応する第２実施形態の部分には「２１１」の符号を付する。以下、複数種類のブロックについて説明するが、それらのブロックを総称として単に「ブロック」と呼ぶ場合がある。
【００４３】
図１２は本願の第２実施形態に係る標準ブロック２１０を示している。（ａ）は平面図であり、（ｂ）は側面図である。（ａ）の図面に向かって右側が土壌に面する背面側であり、左側が擁壁１００の正面側である。特に記載がない場合、正面側（図面左側）から標準ブロック２１０を見たときに右に見える側を標準ブロック２１０の右側とし、左に見える側を標準ブロック２１０の左側とする。図１２以降の説明においても同様である。
【００４４】
本第２実施形態の標準ブロック２１０においては、上記第１実施形態の標準ブロック１０とは異なり、本体２１１の高さ方向の寸法と左右方向の寸法が同程度である。また、本体２１１の正面２１１ｂ側の角部が面取りされており、面取り部２１１ｅと面取り部２１１ｆが形成されている。
【００４５】
図１３は本願の第２実施形態に係る基礎ブロック２３０を示している。（ａ）は平面図であり、（ｂ）は側面図である。
【００４６】
本第２実施形態に係る基礎ブロック２３０は、第１実施形態の基礎ブロック３０とは異なり、正面２３１ｂ側から見た際の奥行方向の寸法が長い板状の本体２３１を有している。本体２３１は、平面視において、正面２３１ｂ側から背面２３１ａ側に向かうにつれて左右方向の幅が狭まるように形成された側面２３１ｆ、２３１ｇを有している。本体２３１の正面２３１ｂ側には、標準ブロック２１０と同様に、面取り部２３１ｈ、２３１ｉが形成されている。
【００４７】
本体２３１の正面２３１ｂ側の上部には、正面２３１ｂ側が低くなるように傾斜した第１傾斜面２３１ｋが形成されている。本体２３１の背面２３１ａ側の上部には、背面２３１ａ側に他の部分よりも低い上面を形成する段部２３１ｊが左右方向の全長にわたって形成されている。本体２３１の上部の略中央には、上に積まれる標準ブロック２１０の第２の凸部２１３ａと第３の凸部２１３ｂが収容される凹部２３４が形成されている。
【００４８】
本体２３１の背面２３１ａ側の下部には、本体２３１の背面２３１ａ側が低い第２傾斜面２３２が左右方向の全長にわたって形成されている。第２傾斜面２３２は滑動抵抗力を増加させる。
【００４９】
図１４は本願の第２実施形態に係る擁壁３００の側面図である。また、図１５は本願の第２実施形態に係る擁壁３００の正面図である。擁壁３００は、上記標準ブロック２１０、基礎ブロック２３０の他、第１実施形態と同様に、板状部材２１７、天端ブロック２２０、左端ブロック２４０、右端ブロック２５０を用いて構成される。また、必要に応じて、左天端ブロック２６０、右天端ブロック２７０を用いる。
【００５０】
図１４に示すように、基礎ブロック２３０は、第１傾斜面２３１ｋが概略水平方向に配置されるように、背面２３１ａ側が低くなるように設置される。標準ブロック２１０、左端ブロック２４０、右端ブロック２５０は、その第１の凸部２１２、２４２、２５２（第１の凸部２４２は不図示）が基礎ブロック２３０の上部に形成された段部２３１ｇの背面２３１ａ側に隣接するように基礎ブロック２３０上に積まれる。
【００５１】
以上に説明した本願のブロック及び擁壁によれば、ブロック積擁壁を完全二次製品化することにより、石工、型枠工など技能職種の削減による労働力不足の解消、現場打ちコンクリートの養生期間削減による工期の短縮を図ることができる。例えば、現場における作業員は４名程度で、クレーン付トラックにより容易に据え付けることができる。
【００５２】
また、本願のブロック及び擁壁によれば、公知公認の設計法が適用でき、多種多様な条件で信頼性のある構造体とすることができる。従来のブロック積擁壁は経験的に作成された標準断面で設計を行ってきたため、理論的な安全性の確認が困難であった。
【００５３】
また、本願のブロック及び擁壁によれば、現場打設のコンクリートが省略できるため、養生期間が不要となり工程が短縮できる。従来のブロック積擁壁は、基礎コンクリート、胴込め、裏込めコンクリートを現場打ちで設けるため、養生期間が必要となり、施工時期や立地条件においては品質管理が困難となる。
【００５４】
また、本願のブロック及び擁壁によれば、自重及び土圧力等の合力作用位置で求められる示力線が擁壁内を通るように設計できるため、無駄のない構造体とすることができる。城の石垣などはこのような構造となっており極めて合理的である。従来は前面・背面とも一定勾配での構造としていたため、湾曲する示力線を包括する壁幅を必要としている。
【００５５】
また、本願のブロック及び擁壁によれば、ブロックは前後・左右の噛み合わせ構造となるため、地震時においても変形が極めて少ない。従来は胴込めコンクリートで擁壁を一体構造としているため、想定以上の力が作用した場合には壁全体が崩壊する。レベル２の地震に対しても、上記第１実施形態のように基礎ブロックに鉄筋挿入工を施工することで滑動力に対応することができる。近年の宅地造成等では地震による被害が懸念され、信頼性が求められている。
【００５６】
また、本願のブロック及び擁壁によれば、ブロックに取り付けられた吸出防止材をブロック間の隙間に当てるだけで直ちに埋め戻しができる。また、ブロックの隙間から排水可能なため、透水層を設ける必要がない。従来、擁壁は２ｍ2に１箇所程度の水抜孔を設け、背面に砕石層を施工する構造となっているが、本願のブロック及び擁壁によれば、それらの工程を省略することができる。さらに、本願のブロック及び擁壁においては伸縮目地を設ける必要もない。
【００５７】
また、本願のブロック及び擁壁によれば、ブロックをクレーン付トラックで運搬し、そのクレーンで吊り上げ、擁壁を積み上げることができる。微調整はバール等で可能である。また、ブロックにアイボルトを取り付けて容易に吊ることが可能であり、作業性も良く安全である。従来は専用のクランプを使用し、数個分を挟んで吊り込むため、安全性に劣る。
【００５８】
また、本願のブロック及び擁壁によれば、階段状の構造となるため、美観に優れている。また、従来、擁壁は平面となる場合が多く、景観的に威圧感を避けられないが、上記のように曲面状に形成することで、威圧感を軽減することができる。
【符号の説明】
【００５９】
１０、２１０  標準ブロック
１１、２１１  本体
１１ａ、２１１ａ  背面
１１ｂ、２１１ｂ  正面
２１１ｅ、２１１ｆ  面取り部
１２、２１２  第１の凸部
１３ａ、２１３ａ  第２の凸部
１３ｂ、２１３ｂ  第３の凸部
１４、２１４  凹部
１５、２１５  吸出防止シート
１６、２１６  アイボルト用埋込ナット
１７、２１７  板状部材
２０、２２０  天端ブロック
２１  本体
２２  第１の凸部
２３ａ  第２の凸部
２３ｂ  第３の凸部
２５  吸出防止シート
２６  アイボルト用埋込ナット
３０、２３０  基礎ブロック
３１、２３１  本体
３１ａ、２３１ａ  背面
３１ｂ、２３１ｂ  正面
３１ｃ  上面  
３１ｄ  下面
３１ｅ  傾斜面
２３１ｆ  左側面
２３１ｇ  右側面
２３１ｈ、２３１ｉ  面取り部
２３１ｊ  段部
２３２  第２傾斜面
３４、２３４  凹部
３６  アイボルト用埋込ナット
３８  貫通孔
４０、２４０  左端ブロック
４１ａ  背面
４１ｂ  正面
４２  第１の凸部
４３  第２の凸部
４４  凹部
４６  アイボルト用埋込ナット
５０、２５０  右端ブロック
５１  本体
５１ａ  背面
５１ｂ  正面
５２  第１の凸部
５３  第２の凸部
５４  凹部
５６  アイボルト用埋込ナット
６０、２６０  左天端ブロック
６１ａ  背面
６１ｂ  正面
６２  第１の凸部
６３  第２の凸部
６６  アイボルト用埋込ナット
７０、２７０  右天端ブロック
７１ａ  背面
７１ｂ  正面
７２  第１の凸部
７３  第２の凸部
７６  アイボルト用埋込ナット
１００、３００  擁壁
１０１  鉄筋
ＧＬ１  地面
ＧＬ２  地面
ＦＬ  示力線
【図１】
2018193785.tif 000003
【図２】
2018193785.tif 000004
【図３】
2018193785.tif 000005
【図４】
2018193785.tif 000006
【図５】
2018193785.tif 000007
【図６】
2018193785.tif 000008
【図７】
2018193785.tif 000009
【図８】
2018193785.tif 000010
【図９】
2018193785.tif 000011
【図１０】
2018193785.tif 000012
【図１１】
2018193785.tif 000013
【図１２】
2018193785.tif 000014
【図１３】
2018193785.tif 000015
【図１４】
2018193785.tif 000016
【図１５】
2018193785.tif 000017